(57)【要約】無線メッシュネットワークにおける分散型ローミングのための方法およびシステムが開示される。セルは、ネットワーク全体を通じてユーザの移動を追跡可能で、予測可能である。ユーザのローミングプロファイルは、ユーザが実際にこれらのセルに入る前に、予測される将来のセルに転送される。ユーザが新しいセルに入る場合には、ローミングは任意の他のセルとの通信なしに完了される。従って、ハンドオフ時間は低減され、ユーザは、ネットワークカバレッジエリア全体を通じて、より途切れなく移動し得る。
2008538260.tif 000002
【特許請求の範囲】
【請求項１】
メッシュネットワークにおいて古いセルから新しいセルに向かって移動させる場合に、デバイスがオーバーラップ領域に入るときを決定することと、
該古いセルにサービスを提供するルータから、該デバイスに関連するユーザのローミングプロファイルを引き出すことと、
該デバイスが該オーバーラップ領域内に位置する間に、該新しいセルにサービスを提供するルータに該ユーザのローミングプロファイルを格納することと
を含む方法。
【請求項２】
前記デバイスがオーバーラップ領域に入るときを決定することは、
該デバイスの存在を検出する隣り合うルータを識別することと、
２つ以上のルータにより該デバイスがオーバーラップ領域において見られ得るような領域をラベリングすることと
を含む、請求項１に記載の方法。
【請求項３】
前記古いセルにサービスを提供する前記ルータは、複数のローミングプロファイルを格納するサーバに接続される、請求項１に記載の方法。
【請求項４】
前記ユーザのローミングプロファイルは、
認証コードと、
ユーザ名と、
セッションＩＤと、
パスワードと
を含む、請求項１に記載の方法。
【請求項５】
ネットワークであって、該ネットワークは、
複数のセルであって、
デバイスが存在する古いセルと、
該デバイスが移動する新しいセルと、
該デバイスが該古いセルおよび該新しいセルにより検出され得るオーバーラップ領域と
をさらに備える、複数のセルと、
該複数のセルにサービスを提供する複数のルータであって、
該新しいセルにサービスを提供する該ルータは、該古いセルにサービスを提供する該ルータから、該デバイスに関連するユーザのローミングプロファイルを引き出し、
該デバイスが該オーバーラップ領域に存在する間に、該新しいセルにサービスを提供する該ルータは、該ユーザのローミングプロファイルを格納する、複数のルータと
を備える、ネットワーク。
【請求項６】
前記ルータのチャネル割り当てを指定するためのネットワーク管理サーバをさらに備える、請求項５に記載のネットワーク。
前記古いセルにサービスを提供する前記ルータは、複数のローミングプロファイルを格納するサーバに接続される、請求項５に記載のネットワーク。
【請求項７】
前記ユーザのローミングプロファイルは、
認証コードと、
ユーザ名と、
セッションＩＤと、
パスワードと
を備える、請求項５に記載のネットワーク。
【発明の詳細な説明】
【技術分野】
【０００１】
本発明の分野は、無線ネットワークに広く関連し、特に無線メッシュネットワークのために調整された分散型ローミングサービスのための方法およびシステムに関連している。
【背景技術】
【０００２】
多くの無線メッシュネットワークは、共通に以下の特性（非常に動的（ｈｉｇｈｌｙ  ｄｙｎａｍｉｃ）、自律性、ピアトゥピア、マルチホップ、有限のバンド幅および演算力など）を有する。メッシュネットワークは２つの理由において非常に動的である。第１に、ルータはそれ自体が移動し得（例えば、可動またはハイブリッドの無線メッシュネットワークにおいて）、トポロジーの変化に対する素早い応答時間を生み出す。第２に、ルータはそれ自体が移動しない場合でさえも（例えば、固定された無線メッシュネットワークにおいて）、無線リンクの質は、干渉要因、地理的要因、および環境の要因によって、非常に素早く変化し得る。有線のインフラストラクチャのために設計された伝統的なルーティングプロトコル（例えば、ＯＳＰＦ、ＲＩＰ）は、このような信号強度における素早い変化を扱い得ない。多くのアドホックルーティングプロトコル（例えば、ＡＯＤＶ）は、無線リンクの質の変化に柔軟に適合するための能力を欠く。
【０００３】
無線ネットワークは、人々の生活においてますます一般的になっている。もっとも有名な無線ネットワークは、現在までは、携帯電話ネットワークである。このようなネットワークは、典型的に、用語「セル式電話ネットワーク」によって指示される多くの「セル」に分類される。各々のセルは、セル式電話のユーザへの信号またはセル式電話のユーザからの信号を、送信および受信するアンテナのセットを有する。セル式ネットワークを形成するために、通信ラインがセルを相互接続する。当該分野において代替物が広く受け入れられているが、一般に使用される通信ラインは、光ファイバラインである。
【０００４】
セル式ネットワークにおいて、ユーザが１つのセルから別のセルへ移動する場合には、ユーザの携帯電話の通話は、１つ以上のアンテナが維持される場合に限って通信を継続し得る。１つのセルから次のセルへユーザの接続を移行する処理は「ローミング」と呼ばれる。ローミングは、ユーザが異なるセルにわたって移動している間に通話の中断なしに接続され続けることを可能にするのに不可欠である。
【０００５】
セル式ネットワークは、伝統的に「メッシュ」として構築されないが、階層的トポロジーのいくつかの形式である（例えば、ツリートポロジーまたはツリーのセット）。一方で、メッシュは、全てのセルがネットワークにおいて全ての他のセルと実質的に接続される。メッシュの例は、グリッドマップまたはインターネットである。無線メッシュネットワークは、各々のセルが全ての他のセルと実質的に通信するように無線迂回中継（ｗｉｒｅｌｅｓｓ  ｂａｃｋｈａｕｌ）により相互接続されたセルからなる。無線メッシュネットワークはまた、有線ネットワークと接続されたゲートウェイを有し得る。ＩＥＥＥ８０２．１１無線デバイスの人気によって、無線メッシュネットワークはますます有名になっている。８０２．１１メッシュネットワークは、高いスループットおよび信頼性のある分散型ネットワークを形成するために、安価で比較的低電力な８０２．１１デバイス（アクセスポイント、ルータなど）を組み入れ得る。このようなネットワークの利点は、分散型ＰＣネットワークにおける利点と類似し、その利点は、独立したＰＣによって取得される演算力を超える非常に大きな演算力を生み出す。
【０００６】
ローミングは処理であり、この処理によりユーザは無線メッシュネットワークにおいてセル間でスイッチする。ボイスオーバーＩＰ（ＶｏＩＰ）トラフィックを扱うことが可能な巨大無線メッシュネットワークにおいては、ローミングソリューションは、拡張可能で、信頼性があり、異なるセル間で速いハンドオフを提供する必要がある。このようなローミングソリューションは、将来の適用における制限は予測できないが、少なくとも数千のネットワークセルに対して拡張するべきである。拡張性の鍵は低いローミングのオーバーヘッドであり、各々のハンドオフにおいてシステム上の負荷を低減する。無線メッシュネットワークはまた、インターネットと類似した方法によってセルの故障に対して回復力に富むべきである。この回復力は、ネットワークにメッシュ全体にわたって接続性を完全に利用することを必要とする。現在では、待ち時間は、ＶｏＩＰユーザに検出不可能であるために５０ｍｓ未満である必要がある。
【０００７】
実在するローミングソリューションは、これらの必要条件に達しない。可動のセル式ネットワークにおけるローミングソリューションは、ローミングソリューションが階層型のツリー状のトポロジーを必要とするので、適用され得ない。「マイクロモビリティ（ｍｉｃｒｏ−ｍｏｂｉｌｉｔｙ）」と命名された最近の提案は、セル式電話ネットワークから導かれたセル式ＩＰ（Ｃｅｌｌｕｌａｒ  ＩＰ）およびハワイプロトコル（Ｈａｗａｉｉ  ｐｒｏｔｏｃｏｌ）などのソリューションを利用する。マイクロモビリティソリューションは、典型的には、厳密に階層型ネットワークのために設計されている。階層型ネットワークは、数ある問題の中で、乏しいロードバランシングによるボトルネックを導入し、セルの故障に対して脆弱である。階層型ネットワークの主要な弱点は、やはり、拡張性の欠如である。階層型ネットワークは、有意なキャッシュを必要とし、システムにおける重複するセル間で状態情報格納を交換する。交換され、かつ維持される情報の量は、ネットワークのサイズおよびユーザ間のローミング行動の量によって、急激に増える。従って、このような階層型ネットワークは拡張性がなく、セルの数が増加する場合には実行不可能になる。
【０００８】
ＩＰネットワーク上の別の顕著なソリューション（およびＩＥＥＥ規格）は、モバイルＩＰ（Ｍｏｂｉｌｅ  ＩＰ）と呼ばれ、インターネット技術標準化委員会により作り出される。モバイルＩＰは拡張性があるが、データをモバイルユーザに対して転送する道のりによる、長いハンドオフの待ち時間の影響を受け得る。ハンドオフ待ち時間を低減するための最適化手法はクライアントソフトウェアの変化を必要とし、ユーザ選定に対して深刻な障害となり得る。
【０００９】
従来の無線メッシュネットワークは、ユーザがメッシュルータ間をスイッチすることを可能にする。ユーザデバイスが、現在ネットワークにアクセスするために使用されている信号より強い信号が利用可能であると感知する場合には、ローミング処理は、デバイスがより強い信号にスイッチすることを可能にする。ロームするためにデバイスは、ユーザのローミングプロファイルを含むセル（時折ホームエージェント（ｈｏｍｅ  ａｇｅｎｔ）と呼ばれる）に接触しなければならない。ホームエージェントは典型的にサーバであり、ネットワーク全体のどこかに存在する。ホームエージェントに接触するために、ユーザデバイスは多数のセルを通る長い経路を移動しなければならない。さらに、ユーザがロームするたびに、ホームエージェントは接触されなければならない。これは大きな遅延を生じさせ、ユーザエンドからの信号の劣化を生じさせる。
【発明の開示】
【課題を解決するための手段】
【００１０】
（要旨）
無線メッシュネットワークにおいて分散型ローミングのための方法およびシステムが開示される。一実施形態において、ユーザのローミングプロファイルは、ユーザが新しいセルに入る前にパーマネントホームエージェントから取得される。ネットワークは、セルにわたるユーザの移動を追跡可能で、ユーザの次の移動を予測可能である。ローミングプロファイルは、ユーザのこれらのセルの内の１つへの移動の前に１つ以上のセルに転送される。一旦ユーザが新しいセルに入ると、新しいセルは古いセルと通信してローミング処理を完了する。このハンドオフは、パーマネントホームエージェントとの通信よりもかなり速い。
【００１１】
インプリメンテーションの種々の新規性のある詳細および構成要素の組み合わせを含む、上記のおよび他の好ましい特性は、添付する図面の参照によってさらに具体的に記載され、特許請求の範囲において示される。本明細書に記載される特定の方法およびシステムは、単に例証のために示されるのであって、限定としては示されていない。当業者により理解されるように、本明細書に記載される原理および特性は、本発明の範囲から逸脱することなく種々の実施形態および多くの実施形態において使用され得る。
【発明を実施するための最良の形態】
【００１２】
添付する図面は、現在開示される本発明の好ましい実施形態を図示している。図面は、上記の要旨および以下の好ましい実施形態の詳細な記載と合わせて、本発明の原理を説明および教示するために役立つ。
【００１３】
（好ましい実施形態の詳細な記載）
以下の記載において、説明の目的のために、特定の専門用語が、本明細書で開示される種々の発明のコンセプトの完全な理解を提供するために述べられる。しかしながら、これらの特定の詳細は、本明細書で開示される種々の発明のコンセプトを実践するために必要とされないことが当業者にとって明らかである。
【００１４】
以下の詳細な記載の一部は、無線ネットワークおよびコンピュータシステムについて示される。これらの無線ネットワークの記載および表現は、他の当業者に彼らの仕事の実体をもっとも効果的に伝達するために、無線ネットワークの当業者によって使用される手段である。無線ネットワークは、本明細書で、一般に、無線波を伝送の媒体として用いる２つ以上のシステム間の通信のためのシステムであると考えられる。通常は、必ずしもそうである必要はないけれども、システム間で通信される情報は、情報のパケットの形態をとる。さらに、一般的な使用という理由において、パケットの構成要素は、ビット、値、要素、シンボル、キャラクタ、項、数字、などという。
【００１５】
本発明は、本明細書における動作を行うための装置に関連する。この装置は、所望の目的のために特別に構築され得、さもなければこの装置は、システムに格納されるプログラムにより選択的に稼動または再構成される汎用システムを備え得る。このようなプログラムはコンピュータ読み取り可能な格納媒体（例えば、ディスクドライブ、光学ディスクドライブ、ＣＤ−ＲＯＭ、磁気光学ディスクドライブ、読み出し専用メモリ、ランダムアクセスメモリ、ＥＰＲＯＭ、ＥＥＰＲＯＭ、磁気的または光学的カード、あるいは電子的な命令を格納することに適し、システムバスに結合された任意の他のタイプの媒体）に格納され得る。
【００１６】
本明細書に示される方法は、任意の特定のシステムまたは他の装置に、本質的に関連しているわけではない。種々の汎用システムは、本明細書の教示に従うプログラムと共に使用され得、さもなければ所望の方法のステップを行うためのさらに特別な装置を構築するために便利であると証明し得る。種々のこれらのシステムにおける所望の構造は、以下の記載に見られる。さらに、本発明は、任意の特定のプログラミング言語を参照によっては記載されない。種々のプログラミング言語が、本明細書に記載される本発明の教示をインプリメントするために使用され得ることが認識される。
【００１７】
分散型のローミングサービスのための本方法およびシステムは、無線メッシュネットワークのために設計された、適応性のある、分散型の、先を見越した（ｐｒｏａｃｔｉｖｅ）ローミングソリューションを含む。図１は、本発明の一実施形態に従う、例示的な無線メッシュネットワークを図示している。メッシュネットワーク１００は、無線ネットワークの一部であり得、近辺１１０のような領域上で動作し得る。一実施形態に従って、近辺１１０は、複数の個別のセル１２０に分割され、各々のセル１２０は、無線ネットワーク１００に対して、ゼロの加入者、１人の加入者、または２人以上の加入者１３０を含む。セル１２０は、特定のセルが任意のある瞬間にそのエリア内に加入者１３０が誰も位置していないように置かれ得るので、加入者１３０を取り囲むことも、取り囲まないこともある。ネットワークはまた、各々のユーザのために１つ以上のパーマネントホームエージェント１６０を含み、パーマネントホームエージェントは、ユーザが１つのセルから新たなセル１２０にロームするときにローミングに役立つ。
【００１８】
各々のセル１２０の物理的な境界線は典型的なネットワークを表現しただけである。各々のセル１２０は、隣り合うセル１２０の各々と通信するが、各々のセル１２０は、任意の他のセル１２０と同じサイズまたは同じ形状である必要はない。従って、各々の特定のセル１２０は、隣り合うセル１２０の全てとオーバーラップする境界を有さなければならない。
【００１９】
一実施形態に従って、加入者１３０は、無線ネットワーク１００にアクセスすることを認証されたコンピュータシステムである。加入者１３０は、ネットワークのカバレッジエリアに置かれなければならず、エリア内ならどこでも位置し得る（例えば、家の中、車の中、オフィスの中など）。
【００２０】
メッシュネットワークに加え、種々の本明細書の教示を用いる他のシステムがまた、本発明の種々の局面を実践するために使用され得ることが認識され、それ自体として本発明の完全な範囲内であると考えられる。
【００２１】
各々のセル１２０は、固定され得るか、または移動可能であり得る少なくとも１つのメッシュルータ１４０を含む。メッシュルータ１４０は、例示的な加入者１３０と通信する。一実施形態に従うと、加入者１３０は、メッシュルータ１４０を介してメッシュネットワーク１００にアクセスするための、サービスプロバイダに対して加入者アカウントを有する。これらの加入者１３０は、例えば、無線パーソナルデジタルアシスタント（ＰＤＡ）、無線ローカルエリアネットワーク（ＬＡＮ）ルータ、または無線ラップトップを含み得る。無線ネットワーク能力を有するこのようなデバイスは、当該分野で周知であり、多くの消費者用小売店にて広く入手可能である。無線ＰＤＡ、無線ＬＡＮルータおよび無線ラップトップが記載されるが、無線能力を有する任意のデバイスが、加入者であり得る。
【００２２】
メッシュルータ１４０はまた、インターネットへのゲートウェイとして役立ち得る。一実施形態に従うと、メッシュルータ／ゲートウェイ１４０は、少なくとも１つのネットワークインターフェイス（例えば、イーサネット（登録商標）コントローラ）を有し、ネットワークインターフェイスがインターネットと通信する。この通信は、イーサネット（登録商標）のような通信リンクを経由している。メッシュネットワーク１００においては、複数のゲートウェイが存在し得る。
【００２３】
図１のメッシュネットワークトポロジーはまた、ネットワーク管理サーバ１５０を含み得る。ネットワーク管理サーバ１５０は、インターネットにアクセスするためにメッシュルータ１４０と接続され得る。一実施形態に従うと、ネットワーク管理サーバ１６０は、メッシュネットワーク内の全てのメッシュルータ１４０のチャネル割り当てを指定する。
【００２４】
図２は、本発明の一実施形態に従う、例示的なメッシュルータ２００のブロック図を図示している。無線ネットワークにアクセスすることに加え、メッシュルータ２００はまた、加入者が、加入者独自のローカルエリアネットワークをセットアップすることを可能にする。無線ルータ２００は、当該分野で周知であり、多くの消費者用小売店において入手可能なＷｉ−Ｆｉルータであり得る。メッシュルータ２００は、電源２２０、ランダムアクセスメモリ（ＲＡＭ）モジュール２３０、イーサネット（登録商標）コントローラ２４０および８０２．１１コントローラ２５０に接続されたプロセッサ２１０を有する。イーサネット（登録商標）コントローラ２４０は、プロセッサ２１０が、イーサネット（登録商標）ポート２６０と通信することを可能にする。８０２．１１コントローラ２５０は、プロセッサ２１０が８０２．１１アンテナ２７０と通信することを可能にする。ＲＡＭモジュール２３０は、パケットをメッシュルータ２００へ、およびメッシュルータ２００からルーティングするために使用されるルーティングテーブル２３１を格納する。
【００２５】
図３は、本開示に従う、ユーザが古いセル３１０から新しいセル３２０へ移動するところのローミングを図示している。ローミングは、異なるメッシュルータカバレッジエリア間を移動するたびに発生する。図３は、各々のセル３００が１つのメッシュルータを有するところのシナリオを描いている。しかしながら、セルは２つ以上のメッシュルータを有し得る。それゆえこの議論は、ユーザが単一のセル内であるが、そのセル内で異なるメッシュルータ間を移動する場合の状況に等しく適用される。
【００２６】
ユーザは、多くのセル３００からなる全体のネットワークカバレッジエリアのどこにでも移動し得る。ユーザが古いセル３１０から新しいセル３２０に移動するたびに、ユーザデバイスはローミングしなければならない。一実施形態に従うと、毎回専用のパーマネントホームエージェント３３０と通信する代わりに、プロキシホームエージェントが使用される。ユーザが古いセル３１０にいる間に、古いセル３１０は、パーマネントホームエージェント３３０からユーザのローミングプロファイルの一部分を要求する。この様式においては、古いセル３１０がローミングに必要な情報（例えば、認証、ユーザ名、セッションＩＤ、パスワードなど）を含むので、古いセル３１０が、プロキシホームエージェントになる。
【００２７】
図３においては、古いセル３１０内のメッシュルータ３５０は、信号カバレッジエリア３１５を有し、新しいセル３２０内のメッシュルータ３６０は、信号カバレッジエリア３２５を有する。ユーザが古いセル３１０から新しいセル３２０に移動する場合には、ユーザがオーバーラップエリア３４０内に存在する期間がある。ユーザがこのエリア内にいる場合には、クライアントは、古いセル３１０および新しいセル３２０の双方におけるルータにより見られる。新しいセル３２０内のルータ３５０は、古いセル３１０のプロキシホームエージェントからローミングプロファイル情報を先取り（ｐｒｅ−ｆｅｔｃｈ）する。この情報は、ユーザがオーバーラップゾーン３４０を離れて、新しいセル３２０に入る場合に、ユーザのローミングを完全にするために十分である。一旦ユーザが新しいセル３２０に入ると、新しいセル３２０は、次のローミング処理の準備のためにパーマネントホームエージェント３３０からローミングプロファイルの一部を要求し、このことがユーザが別のオーバーラップゾーン３４０に入る場合にくり返される。
【００２８】
ローミングは、一旦ローミングがより強い信号が利用可能であると感知すると、ユーザデバイスにより開始される。これはユーザが新しいセル３２０に入る場合にのみ発生する。従って、ユーザが２つのセル３００の間のオーバーラップエリア３４０に入るが、新しいセル３２０に入らない場合には、ローミングは決して完了されない。一実施形態に従うと、新しいセル３２０は、古いセル３１０からローミングプロファイルを受信し得る。
【００２９】
図３は、単一の古いセル３１０と単一の新しいセル３２０との間のオーバーラップ３４０を描いている。本明細書の教示はまた、３つ以上のセル３００を含むオーバーラップエリアがある場合に適用される。ユーザが３つ以上のセル３００のオーバーラップエリアに入る場合には、ローミングプロファイルは、古いセル３１０から新しいセル３２０の全てに転送される。従って、どのセル３２０にユーザが入るかにかかわらず、その新しいセル３２０はローミングを完全にするために必要な、必然的なローミングプロファイルを有する。
【００３０】
図４は、本開示の一実施形態に従うローミングのための例示的な処理のフローチャートである。チャートは、古いセルＡ３１０から新しいセルＢ３２０にユーザをハンドオフするために必要とされるステップを介して進む。セルＡ３１０内のルータは、ユーザがまだセルＡ３１０内にいる間に、パーマネントホームエージェントからユーザのローミングプロファイルを引き出す（４００）。一旦、その情報が受信されると、セルＡ３１０内のルータは、プロキシホームエージェントになる。ユーザが、古いセルＡ３１０と新しいセルＢ３２０との間のオーバーラップエリアに入る場合には、セルの各々がユーザおよびプロキシホームエージェントを識別する（４１０）。ユーザがセル間のオーバーラップエリアを離れて、新しいセルＢ３２０に入る場合（４３０）には、ローミングの準備のために、古いセルＡ３１０内のルータが、ユーザのローミングプロファイルを新しいセルＢ３２０内のルータに転送する（４２０）。一旦ユーザが新しいセルＢ３２０に入ると、新しいセルＢ３２０内のルータは、ユーザデバイスと接続するローミングのステップを行い、古いセルＡ３１０からデバイスを解放する（４４）。新しいセルＢ３２０内のルータは、既にプロキシホームエージェントからローミングプロファイルを受信したので、新しいセルＢ３２０内のルータはパーマネントホームエージェントとのいかなる通信もなしに、ローミングを完了する。一旦ローミングが完了されると、ユーザは新しいセルＢ３２０を通じて通信する。
【００３１】
図面は、単一のローミング発生の直進的な進行を描いているが、図４のステップはユーザが新しいセルに入るたびにくり返される。
【００３２】
本開示は、異なるセルにわたるユーザの追跡に利点を有する。一旦ユーザが新しいセルに入ると、その新しいセルは、パーマネントホームエージェントからローミングプロファイル情報を受信し、次いでプロキシホームエージェントになる。この様式においては、それは、ユーザが移動し得る任意の新しいセルへのローミングプロファイルの転送のための準備をする。従って、プロキシホームエージェントは、ユーザを追跡し、各々のローミングステップにおいて変化する。プロキシホームエージェントは、常にユーザの現在の位置に対して隣り合うセル内に存在し、プロキシホームエージェントと任意の新しいセルとの間の通信時間は常に最小になる。
【００３３】
ネットワーク内の各々のノードは、レイヤ２（または、Ｌ２すなわちリンクレイヤおよびＭＡＣレイヤ）およびレイヤ３（または、Ｌ３すなわちＩＰレイヤ）で接する。一実施形態に従うと、本無線メッシュネットワークは、ＩＥＥＥ／ＩＥＴＲ基準と８０２．１１ｆ（ＩＡＰＰ）において互換性があり得る。Ｌ２ローミング（例えば、ＩＥＥＥ８０２．１１ｆ）とのインターフェイスは、クライアントソフトウェアの介入（ｉｎｔｅｒｖｅｎｔｉｏｎ）なしにモビリティイベントのトリガとして役立つ。機能（例えば、差動認証（ｄｉｆｆｅｒｅｎｔｉａｌ  ａｕｔｈｅｎｔｉｃａｔｉｏｎ）、新しい無線チャネルへのスイッチングおよびアップデートをルーティングすること）を増加的に行うためにホームエージェントの分配された様式は、素早いハンドオフを可能にさせる。
【００３４】
本方法およびシステムのさらに別の特性は、マルチレベルローミングである。マルチレベルローミングは、ＯＳＩレイヤ２（リンクレイヤ／ＭＡＣ）およびレイヤ３（ＩＰ）にわたる動作を含む。一実施形態においては、同じＩＰサブネット上のノード間のローカルなローミングがレイヤ２上でなされる。ローカルなローミングは、全ての機能が同じＬ２上にあるので、素早いローミングという有利性を有し、Ｌ３（ＩＰ）レイヤを含まない。
【００３５】
本方法およびシステムは、メッシュネットワーク内の典型的なローミングソリューションにおいて多くの利点を有する。ローミングは、隣り合うセル間での通信または１つのホップを備えられるので、ハンドオフの待ち時間は有意に低減される。ＶｏＩＰトラフィックのハンドオフ時間は５０ｍｓ未満である。一実施形態に従って、システムはユーザのデバイスに対して変化を必要としない。本メッシュネットワークローミングシステムはまた、ローミングの間に長距離を転送された最小限の情報のために、拡張可能である。
【００３６】
本発明の好ましい実施形態が本明細書に記載されている一方で、当業者には、現在および将来の双方で、添付する特許請求の範囲に含まれる種々の改善およびエンハンスメントを行い得ることが理解される。これらの特許請求の範囲は、本明細書に記載した本発明の適切な保護を維持するために解釈されるべきである。
【図面の簡単な説明】
【００３７】
【図１】図１は、本開示の一実施形態に従う、例示的な無線メッシュネットワークのブロック図を図示している。
【図２】図２は、本開示の一実施形態に従う、例示的な無線ルータのブロック図を図示している。
【図３】図３は、本開示に従う、ローミングを図示している。
【図４】図４は、本開示の一実施形態に従う、ローミングのための例示的なプロセスのフローチャートである。
【図１】
2008538260.tif 000003
【図２】
2008538260.tif 000004
【図３】
2008538260.tif 000005
【図４】
2008538260.tif 000006